(57)【要約】  本発明は、機密性の高い会議等において、機密情報の持ち出しが無く、かつ、閲覧を希望する情報をその場で自由に見ることのできる情報送受信システム、情報送信装置および情報受信装置を提供する。  本発明の情報送受信システムは、情報に付与された識別子を、第１の時間以内に繰り返し送信する情報送信装置と、受信した情報を表示するとともに、情報に付与された識別子を第２の時間内に受信できなかった場合に受信した情報の表示を中止する情報受信装置からなる。
2008102515.tif 000002
【特許請求の範囲】
【請求項１】
情報を送信する情報送信装置と、前記情報送信装置から送信された情報を受信して表示する情報受信装置とを含む情報送受信システムにおいて、
前記情報送信装置が、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、第１の時間以内に前記識別子の束を繰り返し送信する情報送信部とを備え、
前記情報受信装置が、
前記情報送信装置から送信された前記識別子の束を受信する情報受信部と、
前記複数の情報セグメントの中から閲覧希望情報セグメントを選択する情報選択部と、
前記情報選択部によって選択された前記閲覧希望情報セグメントを前記情報送信装置から受信して記憶する情報記憶部と、
前記情報記憶部に記憶された前記閲覧希望情報セグメントを表示する情報表示部と、
前記情報表示部を制御する表示制御部とを備え、
前記表示制御部は、前記情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報送受信システム。
【請求項２】
前記情報送信装置は、前記第１の時間以内に前記識別子の束とともに前記情報セグメントの束を繰り返し送信することを特徴とする請求の範囲第１項に記載の情報送受信システム。
【請求項３】
前記情報受信装置は、前記閲覧希望情報セグメントについての送信要求を送信し、
前記情報送信装置は、前記情報受信装置からの送信要求に応じて閲覧希望情報セグメントを送信することを特徴とする請求の範囲第１項に記載の情報送受信システム。
【請求項４】
前記情報送信装置は、前記情報受信装置に関する情報が記録された情報受信装置データベースを備え、
前記情報受信装置データベースに記録された前記情報受信装置に関する情報に基づいて前記情報受信装置の認証を行い、
認証された前記情報受信装置に、前記情報セグメントを通信により送信することを特徴とする請求の範囲第１項乃至第３項のいずれか１項に記載の情報送受信システム。
【請求項５】
前記第２の時間は、前記第１の時間と同等あるいは第１の時間よりも長いことを特徴とする請求の範囲第１項乃至第４項のいずれか１項に記載の情報送受信システム。
【請求項６】
前記情報送信装置は、前記情報セグメントおよび前記識別子を暗号化して送信することを特徴とする請求の範囲第１項乃至第５項のいずれか１項に記載の情報送受信システム。
【請求項７】
前記情報送信装置と前記情報受信装置との間で行われる通信は、無線を用いたものであることを特徴とする請求の範囲第１項乃至第６項のいずれか１項に記載の情報送受信システム。
【請求項８】
情報受信装置で表示されるべき情報を送信する情報送信装置であって、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、
前記情報セグメントと前記識別子との束を、第１の時間以内に繰り返し通信により送信する情報送信部とを備えたことを特徴とする情報送信装置。
【請求項９】
情報受信装置で表示されるべき情報を送信する情報送信装置であって、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、前記識別子の束を、第１の時間以内に繰り返し通信により送信するとともに、前記情報受信装置から送信要求を受けた前記情報セグメントを送信する情報送信部とを備えたことを特徴とする情報送信装置。
【請求項１０】
情報送信装置から送信された情報を表示する情報受信装置であって、
情報を複数に分割した情報セグメントと、前記情報セグメント毎に一意に付与された識別子との束を通信により受信する情報受信部と、
前記情報受信部が受信した前記情報セグメントと前記識別子との束の中から、前記識別子に基づいて閲覧希望情報セグメントを選択する情報選択部と、
前記情報選択部によって選択された前記閲覧希望情報セグメントを記憶する情報記憶部と、
前記情報記憶部に記憶された前記閲覧希望情報セグメントを表示する情報表示部と、
前記情報表示部を制御する表示制御部とを備え、
前記表示制御部は、前記情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報受信装置。
【請求項１１】
情報送信装置から送信された情報を表示する情報受信装置であって、
情報を複数に分割した情報セグメント毎に一意に付与された識別子の束を通信により受信する第１の情報受信部と、
前記情報セグメントの中から、閲覧希望情報セグメントを選択する情報選択部と、
前記情報選択部によって選択された前記閲覧希望情報セグメントの送信要求を送信し、前記閲覧希望情報セグメントを受信する第２の情報受信部と、
前記第２の情報受信部により受信された前記閲覧希望情報セグメントを記憶する情報記憶部と、
前記情報記憶部に記憶された前記閲覧希望情報セグメントを表示する情報表示部と、
前記情報表示部を制御する表示制御部とを備え、
前記表示制御部は、前記第１の情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報受信装置。
【発明の詳細な説明】
【技術分野】
【０００１】
本発明は、情報を送信する情報送信装置と、当該情報送信装置から送信された情報を受信して表示する情報受信装置とを含む情報送受信システム、ならびにそれに用いられる情報送信装置および情報受信装置に関する。
【背景技術】
【０００２】
従来、機密性の高い会議等において資料を共有する方法について種々の提案がなされてきた。【０００３】
例えば、会議のマネージャから許可を受け、サーバに登録されたユーザあるいは端末だけが会議情報サーバにアクセスできるようにされた電子会議システムへの参加方法が提案されている（例えば特許文献１参照）。また、会議で用いる資料を、携帯可能な鍵装置を装着した端末からのみアクセスできるようにされた電子会議で用いる資料の配布方法が提案されている（例えば特許文献２参照）。【０００４】
さらに、無線を使った電子会議において、許可された参加者以外の端末が無線を介して接続しないよう、会議開催前に認証キーが転送された会議端末だけが会議に参加できるようにする方法が提案されている（例えば特許文献３参照）。また、例えば無線ＬＡＮを用いて特定の空間でのみ資料にアクセスできるようにすることで、会議資料が会議室内のみで閲覧可能となる方法が提案されている（例えば特許文献４参照）。【０００５】
また、契約者だけにコンテンツを閲覧させる有料放送において、コンテンツをスクランブルして放送し、スクランブルした情報に視聴期限のデータを付加することにより、コンテンツを蓄積しても、視聴期限内でなければ再生、視聴できなくすることで、コンテンツを閲覧・視聴可能とする時限を特定する方法が提案されている（例えば特許文献５参照）。【０００６】
一方、機密性の高い会議等では、会議室内でプロジェクタなどに資料を表示するのみにして、参加者には資料を配布しない方法も考えられる。
【特許文献１】特開平８−２５６１４５号公報
【特許文献２】特開２００２−４１４６１号公報
【特許文献３】特開２００４−９６４９５号公報
【特許文献４】特開２００５−１８４８７号公報
【特許文献５】特開２０００−１９６５４６号公報
【発明の開示】
【発明が解決しようとする課題】
【０００７】
しかしながら、特許文献１および２で提案された方法では、会議に用いる情報は、会議終了後もユーザが見ることができるため、持ち出しを禁止する資料を使う会議には使用できない。また、特許文献３で提案された方法でも、会議終了後に資料を持ち出すことを禁止することについて言及されていない。さらに、特許文献４で提案された方法でも、会議室から出たときに資料を消去する方法、資料の持ち出しを禁止する方法については何ら言及されていない。また、特許文献５で提案された方法では、コンテンツを閲覧・視聴可能とする時限を特定することができるが、閲覧可能とする場所を特定することはできない。【０００８】
また、資料を配布することなく、会議室内で、プロジェクタ等で資料を表示する方法では、説明者が表示するページや拡大率を指定するので、参加者それぞれが説明を聞きながら自分の見たいページを読むことができず、資料の理解の妨げとなる。【０００９】
本発明は、上記事情に鑑みてなされたもので、機密性の高い会議等において、機密情報の持ち出しが無く、かつ、閲覧を希望する情報をその場で自由に見ることのできる情報送受信システム、情報送信装置および情報受信装置を提供することを目的とする。
【課題を解決するための手段】
【００１０】
本発明の目的は、下記構成により達成することができる。【００１１】
１．情報を送信する情報送信装置と、前記情報送信装置から送信された情報を受信して表示する情報受信装置とを含む情報送受信システムにおいて、
前記情報送信装置が、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、第１の時間以内に前記識別子の束を繰り返し送信する情報送信部とを備え、
前記情報受信装置が、
前記情報送信装置から送信された前記識別子の束を受信する情報受信部と、
前記複数の情報セグメントの中から閲覧希望情報セグメントを選択する情報選択部と、
前記情報選択部によって選択された前記閲覧希望情報セグメントを前記情報送信装置から受信して記憶する情報記憶部と、
前記情報記憶部に記憶された前記閲覧希望情報セグメントを表示する情報表示部と、
前記情報表示部を制御する表示制御部とを備え、
前記表示制御部は、前記情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報送受信システム。【００１２】
２．前記情報送信装置は、前記第１の時間以内に前記識別子の束とともに前記情報セグメントの束を繰り返し送信することを特徴とする１に記載の情報送受信システム。【００１３】
３．前記情報受信装置は、前記閲覧希望情報セグメントについての送信要求を送信し、前記情報送信装置は、前記情報受信装置からの送信要求に応じて閲覧希望情報セグメントを送信することを特徴とする１に記載の情報送受信システム。【００１４】
４．前記情報送信装置は、前記情報受信装置に関する情報が記録された情報受信装置データベースを備え、
前記情報受信装置データベースに記録された前記情報受信装置に関する情報に基づいて前記情報受信装置の認証を行い、
認証された前記情報受信装置に、前記情報セグメントを通信により送信することを特徴とする１乃至３のいずれか１項に記載の情報送受信システム。【００１５】
５．前記第２の時間は、前記第１の時間と同等あるいは第１の時間よりも長いことを特徴とする１乃至４のいずれか１項に記載の情報送受信システム。【００１６】
６．前記情報送信装置は、前記情報セグメントおよび前記識別子を暗号化して送信する
ことを特徴とする１乃至５のいずれか１項に記載の情報送受信システム。【００１７】
７．前記情報送信装置と前記情報受信装置との間で行われる通信は、無線を用いたものであることを特徴とする１乃至６のいずれか１項に記載の情報送受信システム。【００１８】
８．情報受信装置で表示されるべき情報を送信する情報送信装置であって、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、前記情報セグメントと前記識別子との束を、第１の時間以内に繰り返し通信により送信する情報送信部とを備えたことを特徴とする情報送信装置。【００１９】
９．情報受信装置で表示されるべき情報を送信する情報送信装置であって、
情報記録部に記録された情報を読み出す情報読出部と、
前記情報読出部によって前記情報記録部から読み出された前記情報を複数の情報セグメントに分割し、分割された前記情報セグメント毎に一意の識別子を付与する情報加工部と、前記識別子の束を、第１の時間以内に繰り返し通信により送信するとともに、前記情報受信装置から送信要求を受けた前記情報セグメントを送信する情報送信部とを備えたことを特徴とする情報送信装置。【００２０】
１０．情報送信装置から送信された情報を表示する情報受信装置であって、
情報を複数に分割した情報セグメントと、前記情報セグメント毎に一意に付与された識別子との束を通信により受信する情報受信部と、
前記情報受信部が受信した前記情報セグメントと前記識別子との束の中から、前記識別子に基づいて閲覧希望情報セグメントを選択する情報選択部と、
前記情報選択部によって選択された前記閲覧希望情報セグメントを記憶する情報記憶部と、
前記情報記憶部に記憶された前記閲覧希望情報セグメントを表示する情報表示部と、
前記情報表示部を制御する表示制御部とを備え、
前記表示制御部は、前記情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報受信装置。【００２１】
１１．情報送信装置から送信された情報を表示する情報受信装置であって、
情報を複数に分割した情報セグメント毎に一意に付与された識別子の束を通信により受信する第１の情報受信部と、
前記情報セグメントの中から閲覧希望情報セグメントを選択する情報選択部と、
前記情報選択部によって選択された前記閲覧希望情報セグメントの送信要求を送信し、前記閲覧希望情報セグメントを受信する第２の情報受信部と、
前記第２の情報受信部により受信された前記閲覧希望情報セグメントを記憶する情報記憶部と、
前記情報記憶部に記憶された前記閲覧希望情報セグメントを表示する情報表示部と、
前記情報表示部を制御する表示制御部とを備え、
前記表示制御部は、前記第１の情報受信部が前記閲覧希望情報セグメントの識別子を第２の時間以内に受信しなかった場合に、前記情報記憶部に記憶された前記閲覧希望情報セグメントの表示を中止するように前記情報表示部を制御することを特徴とする情報受信装置。
【発明の効果】
【００２２】
本発明によれば、情報に付与された識別子を、第１の時間以内に繰り返し送信する情報送信装置と、受信した情報を表示するとともに、情報に付与された識別子を第２の時間内に受信できなかった場合に受信した情報の表示を中止する情報受信装置からなる情報送受信システムを備えることで、限られた場所で限られた時間のみに閲覧を希望する情報を自由に見ることができるので、機密性の高い会議等において、機密情報の持ち出しが無く、かつ、閲覧を希望する情報をその場で自由に見ることのできる情報送受信システム、情報送信装置および情報受信装置を提供することができる。
【図面の簡単な説明】
【００２３】
【図１】本発明における情報送受信システムの構成の一例を示す模式図である。
【図２】第１の実施形態における情報送信装置の内部構成の一例を示すブロック図である。
【図３】情報受信装置の内部構成の一例を示すブロック図である。
【図４】情報受信装置の外観の一例を示す模式図である。
【図５】資料ファイルを情報セグメントに分割して識別子を付与する方法の一例を示す模式図（１／３）である。
【図６】資料ファイルを情報セグメントに分割して識別子を付与する方法の一例を示す模式図（２／３）である。
【図７】資料ファイルを情報セグメントに分割して識別子を付与する方法の一例を示す模式図（３／３）である。
【図８】情報セグメントと、それに付与された識別子の一例を示す模式図である。
【図９】情報送信装置が備える情報受信装置データベースの構成を示す模式図である。
【図１０】情報送信装置と情報受信装置との間での暗号化された情報セグメントおよび識別子の送受信プロトコルを示す模式図である。
【図１１】受信した情報セグメントを情報受信装置で閲覧する方法の一例を示すフローチャートである。
【図１２】第２の実施形態における情報送信装置の内部構成の一例を示すブロック図である。
【図１３】情報送信装置と情報受信装置との間での暗号化された情報セグメントおよび識別子の送受信プロトコルを示す模式図である。
【図１４】情報受信装置で閲覧したい情報セグメントを受信して閲覧する方法の一例を示すフローチャートである。
【符号の説明】
【００２４】
１  情報送受信システム
２  会議室
３  ダミー情報送信装置
１０  受信可能範囲
１００  情報送信装置
１１０  情報記録部
１２０  情報読出部
１３０  情報加工部
１４０  情報送受信部
１５０  情報受信装置データベース
１６０  送信装置制御部
２００  情報受信装置
２１０  情報送受信部
２２０  情報選択部
２３０  情報記憶部
２４０  情報表示部
２５０  表示制御部
２６０  表示操作部
２７０  受信装置制御部
ＩＳ  情報セグメント
ＩＳＴ  閲覧希望情報セグメント
ＴＡＧ  識別子
【発明を実施するための最良の形態】
【００２５】
以下、本発明を図示の実施形態に基づいて説明する。但し、本発明は図示する実施形態に限られない。なお、図中、同一あるいは同等の部分には同一の番号を付与し、重複する説明は省略する。【００２６】
まず、本発明における第１および第２の実施形態で共通の情報送受信システムの全体構成について、図１を用いて説明する。図１は、情報送受信システムの全体構成の一例を示す模式図である。【００２７】
図１において、情報送受信システム１は、例えば会議の場で、情報送信装置１００から情報受信装置２００に向けて会議資料等の情報を送信し、情報受信装置２００で受信した資料を閲覧するシステムであり、１台の情報送信装置１００と複数台の情報受信装置２００等で構成される。情報送信装置１００は、例えば会議室２の中だけのような狭い範囲でのみ受信可能な短距離送信を行う装置であり、例えばＵＷＢ（ウルトラワイドバンド、超広帯域無線とも言う）で無線送信を行う。【００２８】
図１の例では、情報受信装置Ａ、Ｂ、Ｃ、Ｄは情報送信装置１００からの送信の受信可能範囲１０内にあるので、情報送信装置１００からの送信を受信可能であるが、情報受信装置Ｅは受信可能範囲１０外にあるので、情報送信装置１００からの送信を受信することはできない。【００２９】
会議室２の外では情報送信装置１００からの送信が受信できないように、例えば会議室２の外側に向けて情報送信装置１００と同一の周波数帯のダミー情報を送信するダミー情報送信装置３を設けるとよい。また、ダミー情報を受信した情報受信装置２００は、後述する情報記憶部２３０に記憶されている内容が消去されるとともに、同じく後述する情報表示部２４０の表示内容も消去されるように構成されることが望ましい。【００３０】
（第１の実施形態）
次に、本発明の第１の実施形態について、図２乃至図１１を用いて説明する。【００３１】
まず、本発明の第１の実施形態における情報送信装置１００の構成の一例について、図２を用いて説明する。図２は、第１の実施形態における情報送信装置１００の内部構成の一例を示すブロック図である。【００３２】
図２において、情報送信装置１００は、情報記録部１１０、情報読出部１２０、情報加工部１３０、情報送受信部１４０、情報受信装置データベース１５０、送信装置制御部１６０等で構成される。【００３３】
情報記録部１１０は、例えば会議での説明用資料等の文書や映像をファイルの形で記憶しており、例えばパーソナルコンピュータ（以下、ＰＣと言う）のハードディスクで構成される。【００３４】
情報読出部１２０は、情報受信装置２００に向けて送信するための資料ファイルを、情報記録部１１０に記憶されたファイルの中から選択して読み出し、情報加工部１３０に送る。【００３５】
情報加工部１３０は、情報読出部１２０から送付された資料ファイルを、送信時の基本単位（以下、情報セグメントＩＳと言う）に分割し、分割された情報セグメントＩＳ毎に一意の識別子ＴＡＧを付与し、暗号化して情報送受信部１４０に送る。資料ファイルを情報セグメントＩＳに分割して識別子ＴＡＧを付与する方法については図５乃至図７で、識別子ＴＡＧについては図８で、暗号化については図９および図１０でそれぞれ詳述する。【００３６】
情報送受信部１４０は、例えばＰＣに接続された無線通信装置であり、情報加工部１３０から送付された暗号化された情報セグメントＩＳや識別子ＴＡＧ等を情報受信装置２００に向けて送信するとともに、閲覧を希望する情報セグメントＩＳの送信要求等の情報受信装置２００から送信された信号を受信する。信号の送受信については、図１０および図１３で詳述する。【００３７】
情報送受信部１４０の通信方法は、狭い範囲での高速大容量通信に適した方法であるＵＷＢを用いて説明するが、ＵＷＢが必須ということではなく、無線ＬＡＮやブルートゥース等の無線通信を用いても構わない。さらに、ＩｒＤＡ等の光による通信や、ＬＡＮなどの有線による通信を用いても構わない。【００３８】
情報受信装置データベース１５０は、例えばＰＣのハードディスクで構成された、情報受信装置２００に関する情報を記憶したデータベースであり、ここに記憶された情報に基づいて暗号化された情報セグメントＩＳの送受信が行われる。情報受信装置データベース１５０の構成については、図９で詳述する。【００３９】
送信装置制御部１６０は、上述した情報送信装置１００の各構成要素の動作を制御するコントローラである。【００４０】
情報送信装置１００は、例えばＰＣ上のＣＰＵ、ハードディスク、メモリ等で構成されてもよい。その場合、上述した情報送信装置１００の各機能は、例えばＰＣ上のハードディスク等の記録媒体に格納されたプログラムによって実現される。【００４１】
次に、本発明の第１の実施形態における情報受信装置２００について、図３および図４を用いて説明する。図３は、情報受信装置２００の内部構成の一例を示すブロック図である。【００４２】
図３において、情報受信装置２００は、情報送受信部２１０、情報選択部２２０、情報記憶部２３０、情報表示部２４０、表示制御部２５０、表示操作部２６０および受信装置制御部２７０等で構成される。これらは、ハードウェアとしては、表示装置とその制御を行うＣＰＵやメモリとの組み合わせによって構成することができ、各機能はメモリに格納されたプログラムによって実現することができる。【００４３】
情報送受信部２１０は、情報送受信部１４０と互換性のあるＵＷＢ等の無線通信装置であり、情報送信装置１００から送信された情報セグメントＩＳや識別子ＴＡＧ等を受信するとともに、閲覧を希望する情報セグメントＩＳの送信要求等の情報送信装置１００との間の送受信に必要な各種の信号を情報送信装置１００に向けて送信する。信号の送受信については、図１０および図１３で詳述する。【００４４】
情報選択部２２０は、情報送受信部２１０で受信された情報セグメントＩＳの中から、情報セグメントＩＳに付与された識別子ＴＡＧを用いて閲覧を希望する情報セグメントＩＳを選択し、閲覧希望情報セグメントＩＳＴのみを情報記憶部２３０に送る。【００４５】
情報記憶部２３０は、例えばメモリ等の記憶素子で構成され、情報選択部２２０から送付された情報セグメントＩＳを一時的に記憶する。【００４６】
情報表示部２４０は、例えば液晶表示素子等で構成され、情報記憶部２３０に記憶された情報セグメントＩＳを表示する。【００４７】
表示制御部２５０は、情報表示部２４０への表示を制御するコントローラで、情報記憶部２３０に記憶された情報セグメントＩＳを情報表示部２４０に表示させたり、表示を禁止したりする。【００４８】
表示操作部２６０は、例えば複数のボタンで構成され、ユーザは表示操作部２６０を操作することで見たい情報セグメントＩＳを選択し、情報表示部２４０に表示させることができる。表示操作部２６０の構成は、図４で詳述する。【００４９】
受信装置制御部２７０は、上述した情報受信装置２００の各構成要素の動作を制御するコントローラである。【００５０】
本例では情報表示部２４０として液晶表示素子を例示したが、別法として、表示素子自身が記憶機能を持つデバイス（例えば、カイラルネマティック型液晶素子等）を用いてもよい。この場合は、表示素子自身が、情報表示部２４０と情報記憶部２３０の両方の機能を備えるものと考えられる。【００５１】
図４は、情報受信装置２００の外観の一例を示す模式図である。【００５２】
図４において、情報受信装置２００の表面には、情報表示部２４０と表示操作部２６０とが配置されている。情報表示部２４０は、例えば水平７６８画素、垂直１０２４画素のカラー液晶パネルで構成され、情報受信装置２００が受信した情報を表示する。【００５３】
表示操作部２６０は、例えば、上下左右へのスクロールボタン２６０ａ、ｂ、ｃおよびｄ、拡大・縮小指定ボタン２６０ｅおよびｆ、前ページ指定ボタン２６０ｇおよび次ページ指定ボタン２６０ｈ、前資料指定ボタン２６０ｉおよび次資料指定ボタン２６０ｊ等で構成されている。ユーザは、表示操作部２６０の各ボタンを操作して、情報表示部２４０に表示する情報を選択する。ボタンの代わりに、ホイールやジョイスティック、あるいは１０キーを使う構成も考えられる。【００５４】
情報受信装置２００は、会議室等に固定されている固定端末であってもよいし、携帯式端末であってもよい。携帯式端末の場合、情報受信装置２００は、望ましくは一次電池あるいは二次電池等のバッテリーで動作し、二次電池の場合には、クレードルに置いた時に充電される。あるいは、会議テーブルの上に置いた時に、会議テーブルに設置された誘導電力アンテナにより充電されることでもよい。【００５５】
次に、情報加工部１３０で行われる、資料ファイルを情報セグメントＩＳに分割して識別子ＴＡＧを付与する方法について、図５乃至図７を用いて説明する。図５乃至図７は、資料ファイルを情報セグメントＩＳに分割して識別子ＴＡＧを付与する方法の一例を示す模式図である。【００５６】
図５において、資料ファイル（例えばＴＫ００６８５という名称の文書ファイル）は、ｎページで構成されている。情報加工部１３０は、資料ファイルをまず１ページからｎページの各ページに分割する。次に、資料ファイルを拡大して見るために、各ページ（図５では、ｋページを例示）を例えば４分割および１６分割する。分割数は、必要に応じて変更すればよい。この時、分割した境界部分が見やすいように、ある程度重なりを持たせて分割することが望ましい。【００５７】
図６において、１ページの文書データ（図６では、ｋページを例示）が、情報受信装置２００の情報表示部２４０が持つ画素数（例えば水平７６８画素、垂直１０２４画素のカラー）に合わせてイメージデータに変換される。変換されたイメージデータは、前述した送信時の基本単位、つまり情報セグメントＩＳである。よって、本例では、各情報セグメントＩＳの画素数は、情報受信装置２００の情報表示部２４０の画面の大きさと同じ７６８×１０２４画素となる。【００５８】
同じページの４分割された文書データは、情報受信装置２００の情報表示部２４０が持つ画素数（例えば水平７６８画素、垂直１０２４画素のカラー）に合わせて約４倍に拡大されたイメージデータ、つまり情報セグメントＩＳに変換される。同様に、同じページの１６分割された文書データも、情報受信装置２００の情報表示部２４０が持つ画素数（例えば水平７６８画素、垂直１０２４画素のカラー）に合わせて約１６倍に拡大された情報セグメントＩＳに変換される。なお、ここでは１ページ全体の文書データを表示する場合の大きさとの比較で「拡大」という表現を用いているが、文書データの所定の領域（１ページ全体、１／４ページ、１／１６ページ）を表示するためのイメージデータを所定の画素数（水平７６８画素、垂直１０２４画素）で生成する処理であり、必ずしも電子的な拡大処理が行われるわけではない。つまり、文書データが十分な画素数を持っておれば、それを間引く、いわゆる縮小処理が行われることもあり得る。【００５９】
図７において、図６で変換された１ページの情報セグメントＩＳ、４分割されて約４倍に拡大された情報セグメントＩＳおよび１６分割されて約１６倍に拡大された情報セグメントＩＳの、計２１枚の情報セグメントＩＳのそれぞれに識別子ＴＡＧが付与され、１ページ分の送信情報が完成する。図５に示した例では、ｎページの資料ファイルの全ページに対して同様の操作が行われるため、合計で（ｎ×２１）枚の情報セグメントＩＳと識別子ＴＡＧの束が作成されることになる。【００６０】
次に、上述した情報セグメントＩＳに付与された識別子ＴＡＧについて、図８を用いて説明する。図８は、情報セグメントＩＳと、それに付与された識別子ＴＡＧの一例を示す模式図で、図８（ａ）は情報セグメントＩＳが元のページ内に占める位置の一例を示し、図８（ｂ）は情報セグメントＩＳに付与された識別子ＴＡＧの一例を示す。【００６１】
図８（ａ）において、情報セグメントＩＳは、ｎページ中のｋページを、重なりを持たせて４分割し（例えば座標（３６８，０）から（７６８，５５０）の範囲）、それを約４倍に拡大してイメージデータ化されたものである。【００６２】
図８（ｂ）において、この情報セグメントＩＳに付与された識別子ＴＡＧは、例えば以下の情報で構成される。
（１）元の資料ファイルのファイル名ＦＮ（例えばＴＫ００６８５）
（２）元の資料ファイルのバージョンＶｅｒ（例えば１．０）
（３）元の資料ファイルの最終更新日時ＦＤ（例えば２００７年１月５日１５時３１分）（４）情報セグメントＩＳの含まれる元のページ番号ＰＮ（例えばｋ）
（５）元の資料ファイルの総ページ数ＴＮ（例えばｎ）
（６）情報セグメントＩＳの元のページ上での位置（例えば左上隅の座標で示す）ＳＰ（例えば（３６８，０））
（７）情報セグメントＩＳの元のページ上での大きさＡＳ（例えば（４００，５５０））これによって、情報セグメントＩＳを一意に識別することができる。【００６３】
次に、上述した方法で作成された情報セグメントＩＳと識別子ＴＡＧを暗号化して送信する方法の一例について、図９および図１０を用いて説明する。図９は、情報送信装置１００が備える情報受信装置データベース１５０の構成を示す模式図である。【００６４】
図９において、情報受信装置データベース１５０は、例えば以下の情報で構成される。（１）情報受信装置名ＲＮ（例えば装置Ａ等）
（２）情報受信装置アドレスＡＤ（例えば０−２０−６８−１０−４５−６７等）
（３）情報受信装置のパスワードＰＷ（例えばＸｙ０ｄｇｕｄＤ等）
（４）情報受信装置の装置用暗号キーＫＹ（例えば０１２３４５等）
これらによって、情報送信装置１００は情報受信装置２００を個別に識別することができる。【００６５】
図１０は、情報送信装置１００と情報受信装置２００との間での暗号化された情報セグメントＩＳおよび識別子ＴＡＧの送受信プロトコルを示す模式図である。【００６６】
図１０において、情報送信装置１００からの送信を受信しようとする情報受信装置２００は、情報送信装置１００に向けて、自らのアドレスＡＤをログイン名としてログイン要求を送信する。情報受信装置２００のアドレスＡＤを受信した情報送信装置１００は、図９に示した情報受信装置データベース１５０の情報（２）を参照して、ログイン要求を行った情報受信装置２００を特定し、ログイン権限のある情報受信装置２００であった場合には、ハッシュキーＨＫを返す。ハッシュキーＨＫは、ログイン要求があるたびに乱数を発生させて作成される。【００６７】
情報受信装置２００は、受信したハッシュキーＨＫを用いて自らのパスワードＰＷをハッシュ化し、ハッシュ化されたパスワードＰＷを情報送信装置１００に向けて送信する。情報送信装置１００は、情報受信装置データベース１５０に記憶されている先程特定した情報受信装置２００のパスワードを、同じハッシュキーＨＫでハッシュ化し、情報受信装置２００から送信されたハッシュ化されたパスワードと比較する。ハッシュ化された２つのパスワードが一致することで、ログイン要求のあった情報受信装置２００の認証が完了し、ログイン状態となる。【００６８】
情報送信装置１００と同様に、情報受信装置２００にも複数の情報送信装置１００を識別する情報送信装置データベースが備えられている場合には、情報送信装置１００から情報受信装置２００にハッシュキーＨＫを返す時に、同じハッシュキーＨＫでハッシュ化した情報送信装置１００のアドレスあるいはパスワードも同時に送信することで、情報受信装置２００がログイン要求した情報送信装置１００が目的の情報送信装置１００であるか否かを確認できるようにすると、さらに機密保持性を高めることができる。【００６９】
次に、情報送信装置１００は、認証が完了した情報受信装置２００に対して、情報セグメントＩＳを暗号化するための情報セグメントＩＳ用暗号キーＣＫを、情報受信装置データベース１５０に記憶されている認証が完了した情報受信装置２００専用の装置用暗号キーＫＹを用いて暗号化して配布する。情報セグメントＩＳ用暗号キーＣＫは全ての認証された情報受信装置２００に対して共通であるが、上述したように、認証が完了した情報受信装置２００毎に個別に暗号化して送付するので、認証されていない情報受信装置に漏れることがない。【００７０】
情報セグメントＩＳ用暗号キーＣＫは、全ての情報セグメントＩＳを一通り送信するごとに更新され、上述したと同様に、情報送信装置１００から全ての認証された情報受信装置２００毎に、個別に暗号化した上で再度送信される。暗号化された情報セグメントＩＳ用暗号キーＣＫを受信した情報受信装置２００は、受信確認のためのＡｃｋ信号を情報送信装置１００に向けて送信する。【００７１】
情報送信装置１００は、もし、ある情報受信装置２００からのＡｃｋ信号が受信できない場合、あるいはＡｃｋ信号の信号レベルが所定の値よりも低い場合には、その情報受信装置２００の認証を無効とする。認証が無効とされた情報受信装置２００は、再度上述したログイン要求を行い、認証を受けなければログインできず、情報セグメントＩＳ用暗号キーＣＫを情報送信装置１００から受け取ることができないので、情報セグメントＩＳを復号することもできない。【００７２】
また、情報受信装置２００も、情報送信装置１００からの信号レベルが予め設定した値よりも小さいときには、暗号化された情報セグメントＩＳ用暗号キーＣＫを受信した時にＡｃｋ信号を返信しない。これにより、上述したと同様に情報受信装置２００の情報送信装置１００による認証は無効となり、再度ログインしなければならない。【００７３】
情報送信装置１００は、全ての認証された情報受信装置２００に個別に情報セグメントＩＳ用暗号キーＣＫを送信して、各情報受信装置２００からのＡｃｋ信号を受信した後に、全ての認証された情報受信装置２００に対して同時に情報セグメントＩＳ用暗号キーＣＫで暗号化された情報セグメントＩＳおよび識別子ＴＡＧを送信する。この時に送信される情報セグメントＩＳ用暗号キーＣＫで暗号化された情報セグメントＩＳおよび識別子ＴＡＧは全ての認証された情報受信装置２００に対して共通であるから、各情報受信装置２００はＡｃｋ信号を返さない。【００７４】
もし、情報受信装置２００で閲覧する必要がなくなった資料ファイルがある場合は、これを情報送信装置１００の情報記録部１１０から削除する、あるいは情報読出部１２０が情報記録部１１０から当該資料ファイルを読み出すことを禁止することで、情報送受信部１４０から送信されることがなくなるので、以降、情報受信装置２００上で当該資料ファイルを閲覧することはできなくなる。【００７５】
情報送信装置１００は、会議資料等の送信が必要な全ての情報セグメントＩＳおよびその識別子ＴＡＧを予め設定された第１の時間以内に送信する。全ての情報セグメントＩＳおよびその識別子ＴＡＧを送信し終わった後、前回の情報セグメントＩＳおよびその識別子ＴＡＧの送信を開始した時刻から予め設定された第１の時間が経過する前に、図１０で説明した動作（認証より後の動作）を繰り返す。もしも、予め設定された第１の時間内に送信が必要な全ての情報セグメントＩＳおよびその識別子ＴＡＧの送信を完了できない場合には、事前に第１の時間の設定を変更しておく。第１の時間とは、例えば５分程度の時間である。なお、この第１の時間は、例えば、情報送信装置１００と情報受信装置２００の間での通信によって随時変更できるようにしても構わない。【００７６】
本例では、情報送信装置１００が情報受信装置２００に情報セグメント用暗号キーＣＫを送付する際に、お互いに信号強度を参照し、所定の値よりも小さい場合に認証を無効にすることとしている。しかし、これに加えて、参照した信号強度の変化が一定の値より大きい時に認証を無効としてもよい。この処理により、情報送信装置１００と情報受信装置２００の位置関係が大きく変化した時にも情報の配信が停止されるので、より一層のセキュリティの向上を実現することができる。【００７７】
また、本例では、情報送信装置１００は、情報セグメントＩＳを送信する際の効率化を図るために、全ての情報受信装置２００に情報セグメント用暗号キーとして同一のキーを送付しているが、情報送信装置１００から各々の情報受信装置２００にキーを送付するプロトコルは１対１なので、各情報受信装置２００毎に異なる情報セグメント用暗号キーを送付してもよい。【００７８】
その場合には、各情報受信装置２００毎に復号できる情報セグメントＩＳを異ならせることができるので、特定の情報受信装置２００のみで特定の資料ファイルを閲覧可能とする、あるいは、特定の情報受信装置２００には特定の資料ファイルを閲覧させない、という処理が可能となる。さらに、資料ファイル全体を特定の情報受信装置２００で閲覧させないだけでなく、資料ファイルの一部のページ、あるいは、ページの中の一部分だけを閲覧させないこともでき、より一層のセキュリティの向上を実現することができる。【００７９】
また、本例では情報セグメントＩＳとしてイメージデータを用いたが、その代わりにテキストデータを用いて情報セグメントＩＳを形成することも考えられる。この場合、図５乃至図７で述べたように４分割、１６分割する代わりに、資料ファイルの複数行単位で分割するものとする。そして、情報セグメントＩＳの識別子ＴＡＧには、どの資料ファイルの、どのページの、何行目から何行目であるか、が記載される。この場合、情報受信装置２００にテキストデータを表示するためのフォントデータを搭載するか、情報セグメントＩＳおよび識別子ＴＡＧを送信する際に適当な周期でフォントデータも送信する必要がある。【００８０】
さらに、情報送信装置１００が情報受信装置２００を認証する際に、情報受信装置２００のパスワードだけでなく、情報受信装置２００を使用するユーザのＩＤとパスワードも認証すれば、よりセキュリティが向上する。ユーザのＩＤやパスワードは、ＵＳＢメモリやメモリカード等の外部メモリに記録されており、情報受信装置２００に接続することによって読み出され、暗号化されて情報送信装置１００に向けて送信される。【００８１】
これを実現するため、情報送信装置１００は、情報受信装置データベース１５０だけでなく、ユーザのデータベースを備える。ユーザの認証プロトコルについては、上述した情報受信装置２００の認証と同様のハッシュキーＨＫを用いたプロトコルを用いればよい。【００８２】
次に、受信した情報セグメントＩＳを情報受信装置２００で閲覧する方法について、図１１を用いて説明する。図１１は、受信した情報セグメントＩＳを情報受信装置２００で閲覧する方法の一例を示すフローチャートである。【００８３】
図１１において、ステップＳ１０１で、ユーザによって表示操作部２６０が操作されて会議資料等の情報の閲覧したい部分（ページやページ内の位置）が選択されて設定される。ステップＳ１０１の設定はユーザによって任意のタイミングで行われるので、例えば割込動作等に設定して、表示操作部２６０が操作された場合に、すぐにステップＳ１０１に戻れるようにしておいてもよい。なお、初めに情報受信装置２００が認証された状態においては、会議資料等の情報の任意の部分（例えば表紙や目次）が自動的に選択されるようにしてもよい。【００８４】
ステップＳ１０３で、情報送信装置１００から暗号化されて順次送信されてくる会議資料等の送信が必要な全ての情報セグメントＩＳおよびその識別子ＴＡＧの束の中の、何れかの情報セグメントＩＳおよびその識別子ＴＡＧが受信されたか否かが確認される。受信された場合（ステップＳ１０３；Ｙｅｓ）、ステップＳ１０５で、受信された信号の暗号が解読されて、識別子ＴＡＧが抽出され、ステップＳ１０７に進む。【００８５】
受信されなかった場合（ステップＳ１０３；Ｎｏ）、ステップＳ１４１で、情報記憶部２３０上に、予め設定された第２の時間が経過した情報セグメントＩＳがあるか否かが確認される。この第２の時間は、図１０で説明した予め設定された第１の時間と同じあるいはそれよりも長い時間として設定される。予め設定された第２の時間が経過した情報セグメントＩＳがない場合（ステップＳ１４１；Ｎｏ）、ステップＳ１０３に戻って、何れかの情報セグメントＩＳおよびその識別子ＴＡＧが受信されるまで、ステップＳ１０３とステップＳ１４１とを繰り返して待機する。【００８６】
予め設定された第２の時間が経過した情報セグメントＩＳがある場合（ステップＳ１４１；Ｙｅｓ）、すなわち、その情報セグメントＩＳの識別子を第２の時間以内に受信しなかった場合、ステップＳ１４３で、情報記憶部２３０に記憶されている当該情報セグメントＩＳの内容が消去され、ステップＳ１０３に戻る。第２の時間とは、例えば１０分程度の時間である。なお、この第２の時間もまた、例えば、情報送信装置１００と情報受信装置２００の間での通信によって随時変更できるようにしても構わない。これにより情報セグメントＩＳの表示が中止されることになる。【００８７】
ステップＳ１０７で、ステップＳ１０５で抽出された識別子ＴＡＧに基づいて、ステップＳ１０３で受信された情報セグメントＩＳが、ステップＳ１０１でユーザによって選択された閲覧したい部分を含む情報セグメントＩＳであるか否かが確認される。閲覧したい部分を含む情報セグメントＩＳでなかった場合（ステップＳ１０７；Ｎｏ）には、ステップＳ１０３に戻って次の情報セグメントＩＳおよびその識別子ＴＡＧが受信され、以後、上述した動作が繰り返される。【００８８】
閲覧したい部分を含む情報セグメントＩＳである場合（ステップＳ１０７；Ｙｅｓ）、ステップＳ１１１で、情報セグメントＩＳが抽出される。ステップＳ１１３で、ステップＳ１１１で抽出された情報セグメントＩＳとステップＳ１０５で抽出された識別子ＴＡＧとが情報記憶部２３０に記憶される。ただし、情報記憶部２３０にすでに記憶されている識別子ＴＡＧと、今回ステップＳ１０５で抽出された識別子ＴＡＧとが同一であった場合には、閲覧したい部分を含む情報セグメントＩＳは情報記憶部２３０にすでに記憶されているので、ステップＳ１１１およびステップＳ１１３の動作は行わなくてもよい。【００８９】
ここで、もし閲覧したい部分が複数の情報セグメントＩＳにまたがっている場合は、ステップＳ１１１で抽出された情報セグメントＩＳをステップＳ１１３で情報記憶部２３０に記憶する際に、抽出された情報セグメントＩＳを情報記憶部２３０のメモリ空間の座標系内で平行移動して記憶することで情報セグメントＩＳの必要な部分のみを選択し、複数の情報セグメントＩＳについてステップＳ１０３からステップＳ１１３に示した動作を繰り返すことで、複数の情報セグメントＩＳにまたがった閲覧したい部分を任意に抽出することができる。【００９０】
次に、ステップＳ１２１で、ステップＳ１１３で情報記憶部２３０に記憶された閲覧したい部分が情報表示部２４０に表示される。ステップＳ１２３で、情報表示部２４０への表示を終了するか否かが確認される。終了する場合（ステップＳ１２３；Ｙｅｓ）、ステップＳ１３１で、ステップＳ１１３で情報記憶部２３０に記憶された情報セグメントＩＳが消去され、動作が終了される。【００９１】
表示を終了しない場合（ステップＳ１２３；Ｎｏ）、ステップＳ１０３に戻って、情報送信装置１００からの次回の情報セグメントＩＳおよびその識別子ＴＡＧの束の送信を待ち、次の情報セグメントＩＳおよびその識別子ＴＡＧの束が受信されると、上述した動作が繰り返されて、閲覧したい情報の表示が繰り返される。【００９２】
さらに、情報セグメントＩＳにその機密度合いに応じた優先順位を設定して、優先順位の高い情報セグメントＩＳほど早く消去されるようにすることで、より一層のセキュリティの向上を実現することができる。例えば、図５乃至図７に示した資料ファイルを情報セグメントＩＳに分割して識別子ＴＡＧを付与する場合に、分割、変換する前の資料ファイルごとに予め優先順位を設定しておく。あるいは、拡大率の高い情報セグメントＩＳほど高い優先順位を設定しておくことも考えられる。【００９３】
そして、情報セグメントＩＳに付加される識別子ＴＡＧにこの優先順位を記載しておくことで、優先順位を情報セグメントＩＳに継承し、優先順位に応じて上述した第１の時間あるいは第２の時間を短く設定する。これにより、会議室から退室した等で情報受信装置２００が情報送信装置１００からの送信信号を受信できなくなって認証が無効になった場合に、優先順位の高い情報セグメントＩＳほど短時間で情報記憶部２３０から消去されるため、より一層のセキュリティの向上を実現することができる。【００９４】
本例においては、情報受信装置２００が情報送信装置１００からの送信信号を受信できなくなって認証が無効になった場合には、情報記憶部２３０に記憶されている情報セグメントＩＳを消去するとして説明したが、特定のユーザに関しては、後で資料を確認するために、情報セグメントＩＳを消去せずに暗号化して保持することも考えられる。【００９５】
この場合、まず、情報送信装置１００は、情報受信装置２００を認証する際に情報受信装置２００を使用するユーザも認証する。ユーザの認証は、ＵＳＢメモリやメモリカード等の外部メモリに記録されたユーザのＩＤやパスワードを用いて行う。具体的には、ユーザのＩＤやパスワードが記録された外部メモリを情報受信装置２００に接続することによってユーザを認証する。【００９６】
上述した第２の時間以内に識別子ＴＡＧを再度受信できなかった情報セグメントＩＳについては、情報記憶部２３０から消去せずに、例えば情報セグメント用暗号キーＣＫを用いて暗号化して情報記憶部２３０に記憶する。【００９７】
情報送信装置１００との認証が無効になったあとでも、情報受信装置２００に上述したユーザのＩＤやパスワードを記録した外部メモリが接続されている間は、情報受信装置は情報記憶部２３０に記憶された暗号化された情報セグメントＩＳを、情報セグメント用暗号キーＣＫを用いて復号するので、情報セグメントＩＳを表示し続けることができる。【００９８】
ユーザのＩＤやパスワードを記録した外部メモリを情報受信装置２００から取り外すと、情報受信装置２００は、暗号化された情報セグメントＩＳを情報記憶部２３０から消去する。これ以後は、当該情報セグメントＩＳを表示することはできない。【００９９】
このように、認証されたユーザが情報受信装置２００を使用している間は情報セグメントＩＳを表示可能にすることで、例えば会議終了後に資料の確認を行うことができるとともに、認証されたユーザが情報受信装置２００の使用を終了すると直ちに情報セグメントＩＳを消去することで、資料の外部流出等の危険を排除することができる。【０１００】
以上に述べたように、本発明の第１の実施形態によれば、情報を情報セグメントＩＳに分割し、情報セグメントＩＳ毎に一意の識別子ＴＡＧを付与し、情報セグメントＩＳと識別子ＴＡＧとの束を、第１の時間以内に繰り返し送信する情報送信装置と、受信した情報セグメントＩＳと識別子ＴＡＧとの束から閲覧を希望する情報セグメントＩＳを抽出して表示するとともに、情報セグメントＩＳに付与された識別子ＴＡＧを第２の時間内に受信できなかった場合に当該情報セグメントＩＳの表示を中止する情報受信装置とで構成される情報送受信システムを備えることで、限られた場所で限られた時間のみに閲覧を希望する情報を自由に見ることができるので、機密性の高い会議等において、機密情報の持ち出しが無く、かつ、閲覧を希望する情報をその場で自由に見ることのできる情報送受信システム、情報送信装置および情報受信装置を提供することができる。【０１０１】
（第２の実施形態）
次に、本発明の第２の実施形態について、図１２乃至図１４を用いて説明する。第１の実施形態においては、情報送信装置１００から全ての情報受信装置２００に向けて、情報セグメントＩＳと識別子ＴＡＧとを同時に送信していたが、本第２の実施形態においては、識別子ＴＡＧのみを全ての情報受信装置２００に向けて送信し、各情報受信装置２００から閲覧希望情報セグメントＩＳＴの送信要求を受信してから各情報受信装置２００毎に個別に情報セグメントＩＳを送信する。【０１０２】
まず、本発明の第２の実施形態における情報送信装置１００の構成の一例について、図１２を用いて説明する。図１２は、第２の実施形態における情報送信装置１００の内部構成の一例を示すブロック図である。【０１０３】
図１２において、情報送信装置１００は、図２に示した本発明の第１の実施形態における情報送信装置１００の構成に加えて、情報加工部１３０で生成された情報セグメントＩＳと識別子ＴＡＧとを一時的に記憶する情報セグメントＩＳバッファ１７０を備えている。以下、図２に示した第１の実施形態における情報送信装置１００の構成と異なる部分についてのみ説明する。【０１０４】
情報加工部１３０は、情報読出部１２０から送付された資料ファイルを、送信時の基本単位（以下、情報セグメントＩＳと言う）に分割し、分割された情報セグメントＩＳ毎に一意の識別子ＴＡＧを付与し、情報セグメントＩＳバッファ１７０に送る。また、情報セグメントＩＳバッファ１７０に一時的に記憶した情報セグメントＩＳと識別子ＴＡＧとを再度読み出し、暗号化して情報送受信部１４０に送付する。さらに、情報セグメントＩＳバッファ１７０に指示して、一時的に記憶した情報セグメントＩＳと識別子ＴＡＧとを削除させる。【０１０５】
資料ファイルを情報セグメントＩＳに分割して識別子ＴＡＧを付与する方法については図５乃至図７で、識別子ＴＡＧについては図８で述べた方法と同じである。【０１０６】
情報セグメントＩＳバッファ１７０は、情報加工部１３０で生成された情報セグメントＩＳと識別子ＴＡＧとを一時的に記憶し、情報加工部１３０からの指示に基づいて、一時的に記憶した情報セグメントＩＳと識別子ＴＡＧとを情報加工部１３０に送付したり、削除したりする。【０１０７】
情報送受信部１４０は、例えばＰＣに接続された無線通信装置であり、情報加工部１３０から送付された暗号化された識別子ＴＡＧ、あるいは暗号化された情報セグメントＩＳと識別子ＴＡＧとの組を、情報受信装置２００に向けて送信するとともに、情報受信装置２００から送信された信号を受信する。信号の送受信については、図１３で詳述する。【０１０８】
本第２の実施形態においても、情報送受信部１４０として、狭い範囲での高速大容量通信に適した方法であるＵＷＢ（ウルトラワイドバンド。超広帯域無線とも言う）を用いて説明するが、ＵＷＢが必須ということはなく、無線ＬＡＮやブルートゥース等の無線通信を用いても構わない。さらに、ＩｒＤＡ等の光による通信や、ＬＡＮなどの有線による通信を用いても構わない。【０１０９】
その他の部分の構成および動作については、図２に示したものと同じである。【０１１０】
本発明の第２の実施形態における情報受信装置２００の構成は、送受信プロトコルの点を除き、図３に示したものと実質的に同じであるので、説明は省略する。なお、送受信プロトコルは、制御プログラムによって変更することができる。【０１１１】
次に、情報送信装置１００と情報受信装置２００との間での送受信動作について、図１３を用いて説明する。図１３は、情報送信装置１００と情報受信装置２００との間での暗号化された情報セグメントＩＳおよび識別子ＴＡＧの送受信プロトコルを示す模式図である。【０１１２】
図１３において、情報送信装置１００がハッシュキーＨＫを用いて情報受信装置２００を認証するまでは、図１０と同じであるので、説明は省略する。【０１１３】
情報送信装置１００は、認証が完了した情報受信装置２００に対して、識別子ＴＡＧを暗号化するための識別子ＴＡＧ用暗号キーＣＫ２を、情報受信装置データベース１５０に記憶されている認証が完了した情報受信装置２００専用の装置用暗号キーＫＹを用いて暗号化して配布する。識別子ＴＡＧ用暗号キーＣＫ２は全ての認証された情報受信装置２００に対して共通であるが、上述したように、認証が完了した情報受信装置２００毎に個別に暗号化して送付するので、認証されていない情報受信装置２００に漏れることがない。【０１１４】
識別子ＴＡＧ用暗号キーＣＫ２は、全ての情報セグメントＩＳを一通り送信するごとに更新され、上述したと同様に、情報送信装置１００から全ての認証された情報受信装置２００毎に、個別に暗号化した上で再度送信される。暗号化された識別子ＴＡＧ用暗号キーＣＫ２を受信した情報受信装置２００は、受信確認のためのＡｃｋ信号を情報送信装置１００に向けて送信する。【０１１５】
情報送信装置１００は、もし、ある情報受信装置２００からのＡｃｋ信号が受信できない場合、あるいはＡｃｋ信号の信号レベルが所定の値よりも低い場合には、その情報受信装置２００の認証を無効とする。認証が無効とされた情報受信装置２００は、再度上述したログイン要求を行い、認証を受けなければログインできず、識別子ＴＡＧ用暗号キーＣＫ２を情報送信装置１００から受け取ることができないので、識別子ＴＡＧを復号することもできない。【０１１６】
また、情報受信装置２００も、情報送信装置１００からの信号レベルが予め設定した値よりも小さいときには、暗号化された識別子ＴＡＧ用暗号キーＣＫ２を受信した時にＡｃｋ信号を返信しない。これにより、上述したと同様に情報受信装置２００の情報送信装置１００による認証は無効となり、再度ログインしなければならない。【０１１７】
情報送信装置１００は、全ての認証された情報受信装置２００に個別に識別子ＴＡＧ用暗号キーＣＫ２を送信して、各情報受信装置２００からのＡｃｋ信号を受信した後に、全ての認証された情報受信装置２００に対して同時に識別子ＴＡＧ用暗号キーＣＫ２で暗号化された識別子ＴＡＧを送信する。この時に送信される識別子ＴＡＧ用暗号キーＣＫ２で暗号化された識別子ＴＡＧは全ての認証された情報受信装置２００に対して共通であるから、各情報受信装置２００はＡｃｋ信号を返さない。【０１１８】
もし、情報受信装置２００で閲覧する必要がなくなった資料ファイルがある場合は、これを情報送信装置１００の情報記録部１１０から削除する、あるいは情報読出部１２０が情報記録部１１０から当該資料ファイルを読み出すことを禁止することで、情報送受信部１４０から送信されることがなくなるので、以降、情報受信装置２００上で当該資料ファイルを閲覧することはできなくなる。【０１１９】
識別子ＴＡＧ用暗号キーＣＫ２で暗号化された識別子ＴＡＧを受信した各情報受信装置２００は、図１４で後述する方法で抽出した識別子ＴＡＧに基づいて、閲覧したい情報セグメントＩＳを決定し、情報送信装置１００に対して情報セグメントＩＳを送信するように、装置用暗号キーＫＹで暗号化された送信要求を送る。【０１２０】
情報受信装置２００からの送信要求を受信した情報送信装置１００は、要求のあった情報セグメントＩＳを、要求してきた情報受信装置２００毎に個別に、各情報受信装置２００専用の装置用暗号キーＫＹを用いて暗号化して配布する。暗号化された情報セグメントＩＳを受信した情報受信装置２００は、受信確認のためのＡｃｋ信号を情報送信装置１００に向けて送信する。Ａｃｋ信号を用いた認証の継続可否の判断については、上述したと同様である。【０１２１】
情報送信装置１００は、送信が必要な全ての識別子ＴＡＧを予め設定された第１の時間以内に送信する。全ての識別子ＴＡＧを送信し終わった後、前回の識別子ＴＡＧの送信を開始した時刻から予め設定された第１の時間が経過する前に、図１３で説明した動作を繰り返す。もしも、予め設定された第１の時間内に送信が必要な全ての識別子ＴＡＧの送信を完了できない場合には、事前に第１の時間の設定を変更しておく。なお、この第１の時間は、例えば、情報送信装置１００と情報受信装置２００の間での通信によって随時変更できるようにしても構わない。【０１２２】
第１の実施形態では、資料ファイル毎に情報セグメントＩＳを送信する仕組みになっているが、本第２の実施形態では、予め資料ファイルを情報セグメントＩＳに分割・変換して情報セグメントバッファ１７０に記憶してあるので、資料ファイル単位で情報セグメントＩＳを送信する必要がない。そこで、例えば送信する必要のある情報セグメントＩＳの全てをシャッフルしてランダムな順序で送信する。【０１２３】
これにより、会議室から退室した等で情報受信装置２００が情報送信装置１００からの送信信号を受信できなくなって認証が無効になった場合に、優先順位の高い情報ほど短時間で情報記憶部２３０から消去されるため、より一層のセキュリティの向上を実現することができる。【０１２４】
次に、情報受信装置２００で閲覧したい情報セグメントＩＳを受信して閲覧する方法について、図１４を用いて説明する。図１４は、情報受信装置２００で閲覧したい情報セグメントＩＳを受信して閲覧する方法の一例を示すフローチャートである。図１１と共通のステップについては同じステップ番号を付与し、詳細は省略する。【０１２５】
図１４において、ステップＳ１０１で、図１１と同様に、ユーザによって表示操作部２６０が操作されて会議資料等の情報の閲覧したい部分（ページやページ内の位置）が選択されて設定される。ステップＳ２０１で、情報送信装置１００から暗号化されて順次送信されてくる全ての識別子ＴＡＧの束の中の、何れかの識別子ＴＡＧが、情報受信装置２００によって受信されたか否かが確認される。受信された場合（ステップＳ２０１；Ｙｅｓ）、ステップＳ１０５で、受信された信号の暗号が解読されて、識別子ＴＡＧが抽出され、ステップＳ１０７に進む。【０１２６】
受信されなかった場合（ステップＳ２０１；Ｎｏ）、ステップＳ１４１で、情報記憶部２３０上に、予め設定された第２の時間が経過した情報セグメントＩＳがあるか否かが確認される。この第２の時間は、図１３で説明した予め設定された第１の時間と同じあるいはそれよりも長い時間として設定される。なお、この第２の時間もまた、例えば、情報送信装置１００と情報受信装置２００の間での通信によって随時変更できるようにしても構わない。予め設定された第２の時間が経過した情報セグメントＩＳがない場合（ステップＳ１４１；Ｎｏ）、ステップＳ２０１に戻って、何れかの識別子ＴＡＧが受信されるまで、ステップＳ２０１とステップＳ１４１とを繰り返して待機する。【０１２７】
予め設定された第２の時間が経過した情報セグメントＩＳがある場合（ステップＳ１４１；Ｙｅｓ）、すなわち、その情報セグメントＩＳの識別子を第２の時間以内に受信しなかった場合、ステップＳ１４３で、情報記憶部２３０に記憶されている内容が消去され、ステップＳ２０１に戻る。これにより情報セグメントＩＳの表示が中止されることになる。【０１２８】
ステップＳ１０７で、ステップＳ１０５で抽出された識別子ＴＡＧが、ステップＳ１０１でユーザによって選択された閲覧したい部分を含む情報セグメントＩＳに付与された識別子ＴＡＧであるか否かが確認される。閲覧したい部分を含む情報セグメントＩＳに付与された識別子ＴＡＧでなかった場合（ステップＳ１０７；Ｎｏ）には、ステップＳ２０１に戻って次の識別子ＴＡＧが受信され、以後、上述した動作が繰り返される。【０１２９】
閲覧したい部分を含む情報セグメントＩＳに付与された識別子ＴＡＧである場合（ステップＳ１０７；Ｙｅｓ）、ステップＳ２０３で、情報受信装置２００から情報送信装置１００に対して、ステップＳ２０１で受信された識別子ＴＡＧが示す情報セグメントＩＳの送信要求が暗号化されて送信される。【０１３０】
ただし、今回ステップＳ１０５で抽出された識別子ＴＡＧが閲覧したい部分を含む情報セグメントＩＳに付与された識別子ＴＡＧであっても、この識別子ＴＡＧが情報記憶部２３０にすでに記憶されている識別子ＴＡＧと同一であった場合には、閲覧したい部分を含む情報セグメントＩＳは情報記憶部２３０にすでに記憶されているので、ステップＳ２０３の情報セグメントＩＳの送信要求を行わず、そのままステップＳ２０１に戻るようにしてもよい。【０１３１】
ステップＳ２０５で、情報送信装置１００から送信されてきた暗号化された情報セグメントＩＳが受信される。ステップＳ１１１で、受信された信号の暗号が解読されて、情報セグメントＩＳが抽出される。ステップＳ１１３からステップＳ１３１までは、図１１と同じであるので、説明は省略する。【０１３２】
以上に述べたように、本発明の第２の実施形態によれば、第１の実施形態と異なり、最初に識別子ＴＡＧとの束のみを、限られた範囲に、第１の時間以内に繰り返し送信し、情報受信装置からの要求に応じて情報セグメントＩＳを送信する情報送信装置と、受信した識別子ＴＡＧから閲覧を希望する情報セグメントＩＳを送信要求し、受信した閲覧希望情報セグメントＩＳを表示するとともに、その情報セグメントＩＳに付与された識別子ＴＡＧを第２の時間内に受信できなかった場合に当該情報セグメントＩＳの表示を中止する情報受信装置とで構成される情報送受信システムを備えることで、不要な情報セグメントＩＳを送信する必要がなく、限られた場所で限られた時間のみに閲覧を希望する情報を自由に見ることができるので、機密性の高い会議等において、機密情報の持ち出しが無く、かつ、閲覧を希望する情報をその場で自由に見ることのできる情報送受信システム、情報送信装置および情報受信装置を提供することができる。【０１３３】
以上に述べたように、本発明によれば、情報に付与された識別子を、第１の時間以内に繰り返し送信する情報送信装置と、受信した情報を表示するとともに、情報に付与された識別子を第２の時間内に受信できなかった場合に受信した情報の表示を中止する情報受信装置からなる情報送受信システムを備えることで、限られた場所で限られた時間のみに閲覧を希望する情報を自由に見ることができるので、機密性の高い会議等において、機密情報の持ち出しが無く、かつ、閲覧を希望する情報をその場で自由に見ることのできる情報送受信システム、情報送信装置および情報受信装置を提供することができる。【０１３４】
尚、本発明に係る情報送信装置、情報受信装置および情報送受信システムを構成する各構成の細部構成および細部動作に関しては、本発明の趣旨を逸脱することのない範囲で適宜変更可能である。
【図１】
2008102515.tif 000003
【図２】
2008102515.tif 000004
【図３】
2008102515.tif 000005
【図４】
2008102515.tif 000006
【図５】
2008102515.tif 000007
【図６】
2008102515.tif 000008
【図７】
2008102515.tif 000009
【図８】
2008102515.tif 000010
【図９】
2008102515.tif 000011
【図１０】
2008102515.tif 000012
【図１１】
2008102515.tif 000013
【図１２】
2008102515.tif 000014
【図１３】
2008102515.tif 000015
【図１４】
2008102515.tif 000016
【国際調査報告】
2008102515.tif 000017
2008102515.tif 000018
2008102515.tif 000019
2008102515.tif 000020